(57)【要約】【課題】像担持体に担持されたトナー像から遊離して飛散する浮遊トナーによる転写材案内部材の先端汚れによって生じる転写材汚れを防止する画像形成装置を提供する。【解決手段】像担持体と、像担持体の面上にトナー像を形成する画像形成部と、像担持体に形成されたトナー像を転写材に転写する転写手段と、転写手段の転写材搬送方向上流側に配置され、転写手段の転写部に搬送される転写材を案内する転写材案内部材と、を有する画像形成装置において、転写材案内部材は、像担持体の像担持面に非接触で像担持体側に配置した非接触部材を有し、非接触部材の面上に導電性の非接触トナー捕集部材を設け、非接触トナー捕集部材を、非接触部材の何れの箇所よりも像担持体との電位が強くなるように配置した画像形成装置。【選択図】図３
2008003449.tif 000002
【特許請求の範囲】
【請求項１】
像担持体と、前記像担持体の面上にトナー像を形成する画像形成部と、前記像担持体に形成されたトナー像を転写材に転写する転写手段と、前記転写手段の転写材搬送方向上流側に配置され、前記転写手段の転写部に搬送される転写材を案内する転写材案内部材と、を有する画像形成装置において、
前記転写材案内部材は、前記像担持体の像担持面に非接触で像担持体側に配置した非接触部材を有し、
前記非接触部材の面上に導電性の非接触トナー捕集部材を設け、
前記非接触トナー捕集部材を、前記非接触部材の何れの箇所よりも前記像担持体との電位が強くなるように配置したことを特徴とする画像形成装置。
【請求項２】
前記像担持体は中間転写体であり、複数組の画像形成部によって形成されたトナー像を一次転写手段により前記中間転写体の面上に一次転写して、前記中間転写体の面上に複数のトナー像を重ね合わせ、二次転写手段により複数のトナー像を転写材に一括して二次転写することを特徴とする請求項１に記載の画像形成装置。
【請求項３】
前記非接触トナー捕集部材は、前記転写材の搬送方向に対して直交する方向に平行して設けられていることを特徴とする請求項１または２に記載の画像形成装置。
【請求項４】
前記非接触トナー捕集部材は、前記像担持体に形成可能な画像形成幅より長く形成されていることを特徴とする請求項１乃至３の何れか１項に記載の画像形成装置。
【請求項５】
前記非接触トナー捕集部材と前記転写材案内部材とに電圧を印加する電圧印加手段を備えたことを特徴とする請求項１乃至４の何れか１項に記載の画像形成装置。
【請求項６】
前記転写材案内部材は、転写材搬送路の上方の第１の案内板と、下方の第２の案内板とから構成され、前記第１の案内板に前記非接触トナー捕集部材が一体に形成されていることを特徴とする請求項１乃至５の何れか１項に記載の画像形成装置。
【請求項７】
前記非接触トナー捕集部材と前記像担持体との間隔が、前記転写材案内部材と前記像担持体との間隔より小であることを特徴とする請求項１乃至６の何れか１項に記載の画像形成装置。
【請求項８】
前記非接触トナー捕集部材の配置位置が、前記転写材案内部材の先端位置を除く位置であることを特徴とする請求項１乃至７の何れか１項に記載の画像形成装置。
【請求項９】
前記非接触トナー捕集部材の配置位置が、前記画像形成手段の現像手段の下流側で、前記転写手段の転写部の上流側であることを特徴とする請求項１に記載の画像形成装置。
【請求項１０】
前記非接触トナー捕集部材の配置位置が、前記一次転写手段の転写部の下流側で、前記二次転写手段の転写部の上流側であることを特徴とする請求項２に記載の画像形成装置。
【発明の詳細な説明】
【技術分野】
【０００１】
本発明は、複写機、プリンタ、ファクシミリ、及びこれらの機能を併せ持つ電子写真方式を用いた画像形成装置に関わり、特に、感光体等の像担持体の表面に担持されたトナー像を転写手段により転写材に接触転写する画像形成装置、及び中間転写体上に形成した複数のカラートナー像を重ね合わせて転写材に転写する画像形成装置に関する。
【背景技術】
【０００２】
トナー像担持体等の表面に担持されたトナー像を転写手段により転写材に接触転写する画像形成装置としては、特許文献１、２等に記載のものが知られている。
【０００３】
特許文献１は、転写部へ転写材を案内する下ガイド部材を、導電部材と絶縁部材とで構成し、絶縁部材に突起部を設けた画像形成装置である。
【０００４】
特許文献２は、トナー像を担持した中間転写ベルトが支持ローラと接触を始める接触開始部、及び、離間を開始する離間開始部と中間転写ベルトを挟んで対向する位置に、トナー捕集部材を設けた画像形成装置である。
【特許文献１】特開２００２−１３９９２２号公報
【特許文献２】特開２００３−２８０４００号公報
【発明の開示】
【発明が解決しようとする課題】
【０００５】
特許文献１の従来技術は、下ガイド板にトナーが堆積するのを防止して転写材の汚れを防止し、また吸湿した転写材に対しても転写抜けを防止する画像形成装置であり、像担持体上のトナー像付近に発生する浮遊トナーを捕集するものとは異なるものである。
【０００６】
特許文献２の従来技術は、トナー像を担持した中間転写ベルト支持ローラと接触を始める接触開始部、及び、離間を開始する離間開始部で発生するトナー飛散を抑制するものであるが、二次転写部の直前に設けないと転写材汚れが発生し、トナー飛散対策には不十分である。また、トナー捕集部材を転写材案内部材と一体化したものではない。
【０００７】
一般に、転写部に転写材を案内するガイド部材が設けられている。ガイド部材の先端部は像担持体に対して最も電位が強くなる。即ち、ガイド部材の先端部は像担持体に最も近接するため、ガイド部材の先端部にトナーが堆積し、転写材を汚すことがある。これを防止するため、絶縁部材の突起物を設ける事もあるが、絶縁部材では積極的にトナーを捕集するものではなく、結果として最も電位の強いガイド部材の先端部にトナー汚れが集中して堆積される。
【０００８】
本発明は、上記の技術背景に鑑みてなされたものであり、その目的とするものは、感光体ドラム、中間転写体等の像担持体に担持されたトナー像から遊離して飛散する浮遊トナーによる転写材案内部材の先端汚れによって生じる転写材汚れを防止する画像形成装置を提供することである。
【課題を解決するための手段】
【０００９】
前記目的は、下記に記載する構成により達成される。
像担持体と、前記像担持体の面上にトナー像を形成する画像形成部と、前記像担持体に形成されたトナー像を転写材に転写する転写手段と、前記転写手段の転写材搬送方向上流側に配置され、前記転写手段の転写部に搬送される転写材を案内する転写材案内部材と、を有する画像形成装置において、前記転写材案内部材は、前記像担持体の像担持面に非接触で像担持体側に配置した非接触部材を有し、前記非接触部材の面上に導電性の非接触トナー捕集部材を設け、前記非接触トナー捕集部材を、前記非接触部材の何れの箇所よりも前記像担持体との電位が強くなるように配置したことを特徴とする画像形成装置。
【発明の効果】
【００１０】
本発明の画像形成装置により、像担持体に担持されたトナー像から遊離して飛散する浮遊トナーによる転写材案内部材の先端汚れによって生じる転写材汚れを防止することができる。
【発明を実施するための最良の形態】
【００１１】
以下に本発明を、実施の形態を用いて説明するが、本発明は以下に説明する実施の形態に限られるものではない。
【００１２】
［カラー画像形成装置］
図１は本発明の実施の形態に係るカラー画像形成装置Ａの全体構成を示す断面図である。図２は該カラー画像形成装置Ａの要部を示す断面図である。
【００１３】
このカラー画像形成装置Ａは、タンデム型カラー画像形成装置と称せられるもので、複数組の画像形成部１０Ｙ，１０Ｍ，１０Ｃ，１０Ｋと、ベルト状の中間転写体（像担持体）７、一次転写手段５Ｙ，５Ｍ，５Ｃ，５Ｋ、二次転写手段８から成る中間転写ユニットと、定着装置１１、及び給紙装置２０を有する。
【００１４】
カラー画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段３Ｙ，３Ｍ，３Ｃ，３Ｋに入力される。
【００１５】
イエロー（Ｙ）色の画像を形成する画像形成部１０Ｙは、像担持体１Ｙの周囲に配置された帯電手段２Ｙ、露光手段３Ｙ、現像手段４Ｙ及びクリーニング手段６Ｙを有する。
【００１６】
マゼンタ（Ｍ）色の画像を形成する画像形成部１０Ｍは、像担持体１Ｍ、帯電手段２Ｍ、露光手段３Ｍ、現像手段４Ｍ及びクリーニング手段６Ｍを有する。
【００１７】
シアン（Ｃ）色の画像を形成する画像形成部１０Ｃは、像担持体１Ｃ、帯電手段２Ｃ、露光手段３Ｃ、現像手段４Ｃ及びクリーニング手段６Ｃを有する。
【００１８】
黒（Ｋ）色の画像を形成する画像形成部１０Ｋは、像担持体１Ｋ、帯電手段２Ｋ、露光手段３Ｋ、現像手段４Ｋ及びクリーニング手段６Ｋを有する。
【００１９】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００２０】
像担持体１Ｙ，１Ｍ，１Ｃ，１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣが用いられる。
【００２１】
帯電手段２Ｙ，２Ｍ，２Ｃ，２Ｋとしては、スコロトロン、コロトロン等のコロナ放電手段が用いられるが、スコロトロン放電手段が好ましく用いられる。
【００２２】
露光手段３Ｙ，３Ｍ，３Ｃ，３Ｋとしては、レーザ、ＬＥＤアレイ等、画像データに従って発光する発光素子が用いられる。
【００２３】
ベルト状の中間転写体７は、半導電性であり、複数の支持ローラ７１，７２，７３，７４、及びバックアップローラ７５により巻回され、循環移動可能に支持される。本実施の形態では、中間転写体７は、支持ローラ７３，７４の間が平面状に支持されている。
【００２４】
画像形成部１０Ｙ，１０Ｍ，１０Ｃ，１０Ｋより形成された各色の画像は、回動する中間転写体７上に一次転写手段５Ｙ，５Ｍ，５Ｃ，５Ｋにより逐次転写されて（一次転写）、合成されたカラー画像が形成される。
【００２５】
給紙装置２０の給紙カセット２１内に収容された転写材Ｐは、給紙手段（第１給紙部）２２により給紙され、給紙ローラ２３，２４，２５、レジストローラ（第２給紙部）２６、搬送ローラ２７を経て、二次転写手段８に搬送され、転写材Ｐ上にカラー画像が転写される（二次転写）。
【００２６】
カラー画像が転写された転写材Ｐは、定着装置１１により熱と圧力とを加えられ、転写材Ｐ上のカラー或いは単色のトナー像ｔが定着されて転写材Ｐ上に固定され、排紙ローラ２８から排出され、機外の排紙トレイ２９上に載置される。
【００２７】
一方、二次転写手段８により転写材Ｐにカラー画像を転写した後、転写材Ｐを曲率分離した中間転写体７は、クリーニング手段６Ａにより残留トナーが除去される。
【００２８】
［一次転写手段］
イエロー色の画像を転写する一次転写手段５Ｙは、一次転写ローラ５ＹＡと、一次転写ローラ５ＹＡに電圧を印加する直流電源５ＹＥとから構成されている。
【００２９】
マゼンタ色の画像を転写する一次転写手段５Ｍは、一次転写ローラ５ＭＡと、一次転写ローラ５ＭＡに電圧を印加する直流電源５ＭＥとから構成されている。
【００３０】
シアン色の画像を転写する一次転写手段５Ｃは、一次転写ローラ５ＣＡと、一次転写ローラ５ＣＡに電圧を印加する直流電源５ＣＥとから構成されている。
【００３１】
黒色画像を転写する一次転写手段５Ｋは、一次転写ローラ５ＫＡと、一次転写ローラ５ＫＡに電圧を印加する直流電源５ＫＥとから構成されている。一次転写ローラ５ＫＡは、中間転写体７を介して像担持体１Ｋに対向し、中間転写体７の内面に摺接する。
【００３２】
一次転写手段５Ｙ，５Ｍ，５Ｃ，５Ｋの各直流電源５ＹＥ，５ＭＥ，５ＣＥ，５ＫＥには、電流値４０μＡ、電圧値＋１．５ｋＶが印加される。
【００３３】
また、一次転写ローラ５ＹＡ，５ＭＡ，５ＣＡ，５ＫＡは、一次転写時以外の場合には、図示しない駆動手段により移動され、中間転写体７の内面から離間して退避する。
【００３４】
［二次転写手段］
二次転写手段８は、バックアップローラ７５、二次転写ローラ８Ａ、直流電源８Ｅ等から構成されている。導電性材料から成るバックアップローラ７５は、中間転写体７を介して二次転写ローラ８Ａに対向し、中間転写体７の内面に摺接する。
【００３５】
バックアップローラ７５は直流電圧を印加する直流電源８Ｅに接続されている。二次転写手段８の直流電源８Ｅには、電流値５０μＡ、電圧値＋３ｋＶが印加される。直流電源８Ｅは中間転写体７に当接する二次転写ローラ８Ａに付着した残留トナーを逆バイアス印加により中間転写体７に転移させてクリーニングする。
【００３６】
バックアップローラ７５は、一次転写ローラ５ＹＡ，５ＭＡ，５ＣＡ，５ＫＡとほぼ同じ構成をなし、中間転写体７の内面側に圧着する。導電性のバックアップローラ７５は、ローラ本体と、ローラ本体の表面に形成された弾性層とにより形成されている。
【００３７】
中間転写体７は、ポリアミドあるいはポリイミド等を材料とする単層又は多層ベルトで、体積抵抗率１０7〜１０12Ωｃｍのものが用いられている。
【００３８】
中間転写体７は、二次転写手段８により転写材Ｐに二次転写した後、クリーニング手段６Ａを通過してクリーニングされる。
【００３９】
導電性の二次転写ローラ８Ａは、ローラ本体と、ローラ本体の表面に形成された弾性層とにより形成されている。二次転写ローラ８Ａは、二次転写時以外の場合には、図示しない駆動手段により移動され、中間転写体７の表面から離間して退避する。
【００４０】
図３は、二次転写手段８の近傍に配置された非接触トナー捕集部材を示す断面図である。
【００４１】
搬送ローラ２７に挟持されて搬送される転写材Ｐは、中間転写体７に近接する上ガイド板（非接触部材、第１の案内板）３１と、上ガイド板３１に対向する下ガイド板（第２の案内板）３２とから成る転写材案内部材の間に形成された転写材搬送路を通過して、二次転写ローラ８Ａとバックアップローラ７５とが圧接する二次転写ニップ部（転写部）Ｎ１を通過する。
【００４２】
上ガイド板３１の上面側、即ち、上ガイド板３１が中間転写体７のトナー像担持面に対向する面の上部には、導電性の非接触トナー捕集部材（以下、トナー捕集部材と称す）３３が固定配置されている。トナー捕集部材は直流電源（電圧印加手段）３４に接続している。
【００４３】
トナー捕集部材３３の配置位置は、一次転写ローラ５ＫＡの転写部の下流側で、二次転写ローラ８Ａの転写部の上流側に配置され、上ガイド板３１の先端位置を除く位置である。また、トナー捕集部材３３は、転写材Ｐの搬送方向に対して直交する方向に設けられている。トナー捕集部材３３は、像担持体に形成可能な画像形成幅より長く形成されている。
【００４４】
トナー捕集部材３３の上面と中間転写体７のトナー像担持面との間隙ｇ１は、上ガイド板３１と中間転写体７のトナー像担持面との間隙ｇ２より小に設定される（ａ＜ｂ）。
【００４５】
また、トナー捕集部材３３を、上ガイド板３１の何れの箇所よりも中間転写体７との電位が強くなるように配置した。
【００４６】
トナー捕集部材３３は、中間転写体７から飛散したトナーと逆極性に帯電され、中間転写体７から飛散したトナーを静電的に引き付けて捕集する。
【００４７】
トナー捕集部材３３の電位は、リーク等の問題からその絶対値をなるべく低く抑える事が望ましい。例えば、トナー捕集部材３３の電位２ｋＶ以下にすることで効率的に浮遊トナーを捕集する事が出来る。
【００４８】
また、トナー捕集部材３３により静電的にトナーを捕集するものであるから、６μｍ以下の小粒径の重合トナーを使用した場合でも、効率よく浮遊トナーを捕集できる。
【００４９】
中間転写体７とトナー捕集部材３３との間隙は、所定値範囲内にする事が望ましい。所定値範囲内の下限（例えば、２ｍｍ）以下に近づけると、トナー捕集部材３３にバイアス電圧を印加した場合、バイアス電圧が画像に悪影響を及ぼすおそれがある。また、間隙が上限（例えば、１０ｍｍ）を超えた場合、トナー捕集部材３３から逆にトナーが飛散するおそれがある。
【００５０】
上ガイド板３１に固定されたトナー捕集部材３３は、カラー画像形成装置Ａの本体に交換可能に支持されている。トナー捕集部材３３によるトナー捕集量が限界を超えたとき、トナー捕集部材３３を上ガイド板３１とともに交換する。これにより、捕集トナー量が限界を超えたとき、トナー捕集部材３３からトナーが逆に飛散することを防止して、常に効率よく浮遊トナーを捕集することが可能である。
【００５１】
［画像形成装置］
図４は、画像形成装置の画像形成部１０を示す断面図である。
【００５２】
像担持体１の周囲には、画像形成プロセス順に、帯電手段２、露光手段３、現像手段４、転写手段９、クリーニング手段６が配設されている。
【００５３】
転写手段９は、転写ローラ９Ａ、直流電源９Ｅ等から構成されている。導電性の転写ローラ９Ａは、回転軸と、回転軸の表面に形成された弾性層とにより形成されている。回転軸の両端は、軸受９Ｂより回転可能に支持されている。
【００５４】
転写手段９の転写ニップ部（転写部）Ｎ２の像担持体１の回転方向上流側で上ガイド板（非接触部材、第１の案内板）４１の面上に導電性の非接触トナー捕集部材（以下、トナー捕集部材と称す）４３を設けた。
【００５５】
トナー捕集部材４３の配置位置は、現像手段４の現像部の下流側で、転写ローラ９Ａのの転写部の上流側に配置され、上ガイド板４１の先端位置を除く位置である。また、トナー捕集部材４３は、転写材Ｐの搬送方向に対して直交する方向に設けられている。トナー捕集部材４３（特にその上面）は、像担持体１に形成可能な画像形成幅より長く形成されている。これによって、トナー捕集部材４３の上面と像担持体１のトナー像担持面との間隙は、上ガイド板４１と像担持体１のトナー像担持面との間隙より小に設定される。
【００５６】
また、トナー捕集部材４３を、上ガイド板４１の何れの箇所よりも像担持体１との電位が強くなる。
【００５７】
上ガイド板４１に対向する下ガイド板（第２の案内板）４２とから成る転写材案内部材の間に形成された転写材搬送路を通過して、転写ローラ９Ａと像担持体１とが圧接する転写ニップ部（転写部）Ｎ２を通過する。
【実施例】
【００５８】
以下、実施例をあげて本発明を具体的に説明するが、本発明はこれに限定されるものではない。本実施例では、図２に示した一次転写手段５Ｙ，５Ｍ，５Ｃ，５Ｋ、及び二次転写手段８を配設したカラー画像形成装置Ａで画像を形成した。
【００５９】
［画像形成条件］
画像形成装置：タンデム型フルカラー複写機（コニカミノルタ８０５０（登録商標）改造機、図１参照）、連続複写速度：フルカラーモード、Ａ４判転写材で毎分５１枚出力
像担持体１Ｙ，１Ｍ，１Ｃ，１Ｋ：外径φ６０ｍｍ、有機光半導体、感光体層の膜厚２５μｍ、全露光電位−５０Ｖ〜０Ｖ
転写材Ｐの搬送ライン速度：２２０ｍｍ／ｓｅｃ
現像剤：キャリアの平均粒径２０〜６０μｍ、重合トナーの平均粒径３〜７μｍ
帯電手段２Ｙ，２Ｍ，２Ｃ，２Ｋ：帯電電圧Ｖ０は−７００Ｖ（可変：左記は標準値）
露光手段３Ｙ，３Ｍ，３Ｃ，３Ｋ：半導体レーザ（波長７８０ｎｍ）、露光時の像形成体表面電位Ｖｉは−５０Ｖ、半導体レーザのパワー３００μＷ
現像手段４Ｙ，４Ｍ，４Ｃ，４Ｋ：現像スリーブの電位Ｖｄｃは−５００Ｖ、現像バイアス電圧交流成分Ｖａｃは１ｋＶｐ−ｐの矩形波（周波数５ｋＨｚ）、
一次転写ローラ５ＹＡ，５ＭＡ，５ＣＡ，５ＫＡ：導電性ローラ使用、ローラ押圧５０Ｎ（ニュートン）、転写電流４０μＡ、転写電圧＋１．５ｋＶを印加、外径φ２０ｍｍ
一次転写手段：中間転写体背面に発泡ローラ（外径φ２０ｍｍ）を設置し、温室度とカウンタでマトリックスを組んだ電流値から所定の電流値を選択し印加する。
【００６０】
二次転写手段８：バックアップローラ７５と二次転写ローラ８Ａの電気抵抗値はともに４×１０7Ω、温湿度とカウンターとでマトリックスを組んだ電流値テーブルから所定の電流値を選択して印加する。
【００６１】
押圧力Ｆ：５０Ｎ（ニュートン）、転写材搬送方向ニップ幅：３ｍｍ、
二次転写ローラ８Ａの弾性層：半導電性ＮＢＲソリッドゴム（アクリロニトリル・ブタジエンゴム）、弾性層の表面コーティング、体積抵抗値４×１０7Ω、外径φ３０ｍｍ、ゴム硬度６７°±３°、
二次転写ローラ８Ａの弾性層の軸方向長さ：ＬＡ＝１５０ｍｍ、ＬＢ＝２５０ｍｍ、ＬＣ＝３３０ｍｍ、
バックアップローラ７５：電気抵抗値は４×１０7Ω、体積抵抗値４×１０7Ω、外径φ３０ｍｍ、ゴム硬度６７°±３°、弾性層の表面コーティング、
中間転写体７：シームレス半導電樹脂ベルト、体積抵抗率１０11Ωｃｍ、体積抵抗率１０8、ポリイミド樹脂、張架テンション５０Ｎ、線速２２０ｍｍ／ｓｅｃ、
トナー捕集部材３３：金属部材、バイアス電圧印加、電位２ＫＶ以下、
［比較例１］
図５は、二次転写手段８の比較例を示す断面図である。
【００６２】
図５（ａ）は、図３に示す上ガイド板３１上にトナー捕集部材３３を有しない構成の二次転写手段８の断面図である。なお、図中に使用されている符号について、図３と同じ機能を有する部分には、前記の実施例のものと同符号を付している。また、前記の実施例と異なる点を説明する。
【００６３】
この構成の二次転写手段８においては、Ａ４判サイズの転写材Ｐに二次色ベタ画像（中間転写体のトナー付着量：９ｇ／ｍ2）を１００００枚プリントした結果、転写材汚れが発生した。
【００６４】
［比較例２］
図５（ｂ）は、図３に示す上ガイド板３１上にトナー捕集部材３３を有せず、支持ローラ７４を巻回する中間転写体７の曲率に沿って配置した構成の二次転写手段８の断面図である。
【００６５】
この構成の二次転写手段８においても、Ａ４判サイズの転写材Ｐに二次色ベタ画像（中間転写体のトナー付着量：９ｇ／ｍ2）を１００００枚プリントした結果、転写材汚れが発生した。
【００６６】
図６は、中間転写体７上のトナー堆積量（ｇ／ｍ2）を示す特性図である。
【００６７】
図中、曲線ａは、上ガイド板３１上にトナー捕集部材３３を有する実施例（図３参照）を示す。トナー捕集部材３３の上面付近に大量のトナーが付着するトナー捕集効果が大であり、中間転写体７上のトナー像からのトナー飛散による転写材汚れが抑制される。
【００６８】
曲線ｂは、比較例１に示す二次転写手段８（図５（ａ）参照）のトナー堆積特性である。上ガイド板３１の先端部に浮遊トナーが堆積し、搬送される転写材Ｐが上ガイド板３１に接触してトナー汚れを発生する。
【００６９】
曲線ｃは、比較例２に示す二次転写手段８（図５（ｂ）参照）のトナー堆積特性である。支持ローラ７４を巻回する中間転写体７の曲率に沿ってトナー捕集部材３５を配置する事により、浮遊トナーが低減されるが、中間転写体７に近接する上ガイド板３１の先端部に浮遊トナーが堆積し、搬送される転写材Ｐが上ガイド板３１に接触してトナー汚れを発生する。
【図面の簡単な説明】
【００７０】
【図１】本発明の実施の形態に係るカラー画像形成装置の全体構成を示す断面図。
【図２】カラー画像形成装置の要部を示す断面図。
【図３】二次転写手段の近傍に配置された非接触トナー捕集部材を示す断面図。
【図４】画像形成装置の画像形成部を示す断面図。
【図５】二次転写手段の比較例を示す断面図。
【図６】中間転写体上のトナー堆積量を示す特性図
【符号の説明】
【００７１】
１，１Ｙ，１Ｍ，１Ｃ，１Ｋ  像担持体
４，４Ｙ，４Ｍ，４Ｃ，４Ｋ  現像手段
５Ｙ，５Ｍ，５Ｃ，５Ｋ  一次転写手段
５ＹＡ，５ＭＡ，５ＣＡ，５ＫＡ  一次転写ローラ
７  中間転写体（像担持体）
７１，７２，７３，７４  支持ローラ
７５  バックアップローラ
８  二次転写手段
８Ａ  二次転写ローラ
９  転写手段
９Ａ  転写ローラ
９Ｅ  直流電源
３１  上ガイド板（非接触部材、第１の案内板）
３２  下ガイド板（第２の案内板）
３３  非接触トナー捕集部材（トナー捕集部材）
３４  直流電源（電圧印加手段）
４１  上ガイド板（非接触部材）
４２  下ガイド板
４３  非接触トナー捕集部材（トナー捕集部材）
Ｎ１  二次転写ニップ部（転写部）
Ｎ２  転写ニップ部（転写部）
Ａ  カラー画像形成装置
Ｎ１  二次転写ニップ部（転写部）
Ｎ２  転写ニップ部（転写部）
Ｐ  転写材
【図１】
2008003449.tif 000003
【図２】
2008003449.tif 000004
【図３】
2008003449.tif 000005
【図４】
2008003449.tif 000006
【図５】
2008003449.tif 000007
【図６】
2008003449.tif 000008